(57)【要約】  本発明は、電気化学的リチウムイオン電池を製造するための新規の半自動的方法に関し、その方法によると、電解質セパレータの連続ストリップ（５）は、その極性に従って手動で交互に積み重ねられる両面電極上に自動的に巻き付けられる。本発明によると、隣接しかつ反対の極性を有するスタック中の２つの電極間に挿入される各電解質セパレータを組み立てるまたは手動で切り取る必要がない。
2014519166.tif 000002
【特許請求の範囲】
【請求項１】
次のステップ、すなわち、
ａ／  複数のいわゆる両面電極を作るステップであって、各電極は、同じ所与の極性の電極材料をその２つの対向面に支持する電流コレクタを形成する導電性基板を含み、電極の前記極性は、２つのグループに分けられ、前記グループの一方は、他方のグループの電極と反対の極性を持つ電極を含む、ステップと、
ａ´／  ２つのいわゆる片面電極を作るステップであって、各電極は、所与の極性の電極材料をその面のうちのただ１つの面に支持する電流コレクタを形成する導電性基板を含み、単一の電極材料を支持する両方の片面電極は、同じ極性である、ステップと、
ｂ／  電解質セパレータを２つの平行なエッジを持つマンドレルの１つのエッジ上に位置決めするように連続ストリップの形の前記電解質セパレータを巻き付け機から巻き戻すステップと、
ｃ／  連続セパレータストリップがすでにその上に位置決めされている前記エッジに平行なマンドレルの前記エッジ上に前記グループの片方の第１の両面電極を手動で位置決めするステップと、
ｄ／  前記グループの前記第１の両面電極および前記マンドレルを前記連続セパレータストリップで包むように前記マンドレルを回転させるステップと、
ｅ／  前記連続セパレータストリップがその上に位置決めされている前記マンドレルの前記エッジ上にもう一方のグループの第１の両面電極を手動で位置決めするステップと、
ｆ／  前記もう一方のグループの前記第１の両面電極もまた前記連続セパレータストリップで包むようにステップｄ／の方向と同じ方向に前記マンドレルを回転させるステップと、
ｇ／  前記片面電極のそれぞれがスタックの端部の１つに配置される状態ですべてのその他の電極が前記マンドレル上に積み重ねられるように、ステップａ／およびａ´／に従って作られたすべてのその他の電極を使ってステップｃ／からｆ／を繰り返すステップであって、すべての前記電極は、前記連続セパレータストリップによって包まれ、前記連続セパレータストリップはまた、互いに対して反対の極性の２つの隣接電極に分離もする、ステップと、
を含むリチウムイオン電気化学的蓄電池を作るための方法。
【請求項２】
いったんステップｇ／が実行されると、前記スタックを前記マンドレルから取り外すためのステップが、実行され、次いで前記片面電極上のストリップ部分だけを残しかつ互いに対して反対の極性を持つ２つの隣接電極に個々に分離するように、前記連続セパレータストリップを前記電極の周囲で切り取るためのステップが、実行される請求項１に記載のリチウムイオン電気化学的蓄電池を作るための方法。
【請求項３】
各巻き戻すステップｂ／は、あらかじめ細長く切られた前記連続ストリップがその上に巻き付けられているスリッタ−巻き取り機の出口で巻き付け機から実行される請求項１または２に記載のリチウムイオン電気化学的蓄電池を作るための方法。
【請求項４】
各巻き戻すステップｂ／は、１から５０μｍの間に含まれる前記連続セパレータストリップ（５）の厚さについて０．５から３Ｎの間の前記連続セパレータストリップ（５）の張力を維持することによって実行される請求項１から３のいずれか一項に記載のリチウムイオン電気化学的蓄電池を作るための方法。
【請求項５】
−  ステップａ／およびａ´／は、前記電極材料を支持する領域から突出する各電流コレクタの部分がタブを形成しながら実行され、
−  ステップｃ／からｇ／は、前記タブがセパレータの巻き付け方向に実質的に直交する平面に配置された状態で実行され、
−  いったんステップｇ／が実行されると、同じ極性の電極の電流コレクタのすべてのタブおよびより大きい厚さのタブがその間に一緒に結合されて溶接されるステップｈ／が実行され、より大きい長さの両方のタブが、蓄電池の極板を形成する請求項１から４のいずれか一項に記載のリチウムイオン電気化学的蓄電池を作るための方法。
【請求項６】
いったんステップｈ／が実行されると、互いに対して反対の極性の２つの隣接電極を個々に分離する電解質セパレータストリップ部分を備えた前記電極の前記スタックは、漏れ防止パッケージに包まれ、一方、前記極板は前記漏れ防止パッケージを横切ったままである請求項５に記載のリチウムイオン電気化学的蓄電池を作るための方法。
【請求項７】
負極性を持つすべての前記電極は、グラファイトに基づいており、正極性を持つすべての前記電極は、ＬｉＦｅＰＯ４である請求項６に記載の方法に従って得られるリチウムイオン電気化学的蓄電池。
【請求項８】
両方の極板は、前記漏れ防止パッケージの同じ側面から突出しながら配置される請求項７に記載のリチウムイオン電気化学的蓄電池。
【請求項９】
両方の極板は、それぞれが前記漏れ防止パッケージの１つの異なる側面から突出して配置される請求項７に記載のリチウムイオン電気化学的蓄電池。
【請求項１０】
前記漏れ防止パッケージは、柔軟なタイプまたは堅いタイプである請求項７から９のいずれか一項に記載のリチウムイオン電気化学的蓄電池。
【発明の詳細な説明】
【技術分野】
【０００１】
本発明は、少なくとも１つの電極でのリチウムの挿入もしくは脱挿入、または言い換えればインターカレーション−デインターカレーションの原理に従って動作するリチウム電気化学的発電装置の分野に関する。
【０００２】
本発明はより詳しくは、リチウムイオン（Ｌｉイオンと略される）電気化学的蓄電池に関し、そのような蓄電池を作るための新規方法に関する。
【背景技術】
【０００３】
Ｌｉイオン電気化学的蓄電池を作るためには、巻き付けることによってかまたは積み重ねること（すなわちスタック）によって進めることが、周知である。
【０００４】
スタックは、電気化学的コアの異なる構成要素（電極、電解質セパレータ、電流コレクタ）のためのガイドとして使用される組み立て装置の助けを借りて完全に手動で作られるか、または完全に自動化された方法で作られることもあり、その方法はそのとき、複雑で高価な設備を必要とする。
【０００５】
巻き付けることに関しては、セパレータを巻き戻すための巻出し機、電流コレクタによって支持される所与の極性の電極ごとに１つのプレート、およびアセンブリの巻き付けを可能にするマンドレルを必要とするだけの、はるかにより簡単な１つの設備で成し遂げられることもある。この現在使用されている方法の欠点は、支持用電流コレクタを持つ電極が十分に柔軟でなければならないことである。実際、それらを巻き付けることは当然、多かれ少なかれ実質的な湾曲角度に従ってそれらを折り畳むことを含む。今では、電極材料および関連する支持用電流コレクタに応じ、それらの基本重量およびそれらの空隙率に応じて、関連する電流コレクタとともに与えられるある種の電極は、折り畳むことができないこともある。
【０００６】
また、今までは、関連する電流コレクタを持つある種の電極は、完全に手動で積み重ねる方法でしか組み立てることができない。この完全に手動で積み重ねる方法の欠点は、その方法がまた、関連する個々の切断するステップおよび積み重ねるステップとともに電解質セパレータの手動での取り扱いも必要とすることである。今では、本質的に、Ｌｉイオン蓄電池で最も一般的に使用される電解質セパレータは、非常に薄く、非常にもろい材料であり、典型的には１から５０μｍ程度の厚さを持つ。また、どんな取り扱いも、電気化学的コアのせん孔のリスク、したがってその後の短絡のリスクを伴う。
【０００７】
さらに、折り畳むことができず、したがって巻き付けることができない電極は、一般にゆがんでおり（平坦性欠陥）、事実上、積み重ね段階の間は、異なる層の保持に細心の注意を要する。最後に、各構成要素をその他のすべてのものに対して位置決めすること、すなわちコレクタによって支持される正電極に対する電解質セパレータの位置決め、負電極に対する正電極の位置決め、および各層についてその他が必要であるので、上で示されたすべての手動ステップは、比較的長い。
【０００８】
前述の問題を克服しようとするための中間解決策は、すでに提案されており、これは、いくぶんかは積み重ねることおよび巻き付けることを混合した方法である。これらの解決策は、特許文献１、またはさらに、特許文献２で述べられる。これらの文書で述べられる解決策の主な欠点は、それが、すでにあらかじめ積み重ねられた電極を互いに積み重ねかつ巻き付けることから成ることである。このことは必然的に、予備的積み重ねのために電解質セパレータを手動で取り扱うことを含む。さらに、特許文献１で示される巻き付け方法は、完全に手動であり、すなわち巻き付け機を適用することがないと思われる。
【先行技術文献】
【特許文献】
【０００９】
【特許文献１】韓国公開特許第２００８−００３６２５０号公報
【特許文献２】欧州特許第１１７７５９１号明細書
【発明の概要】
【発明が解決しようとする課題】
【００１０】
したがって、本発明の目的は、前述の欠点のすべてまたは一部を有さないＬｉイオン電気化学的蓄電池を作るための方法を提案することである。
【００１１】
言い換えれば、本発明の目的は、完全に自動化された巻き付け方法でもなく、完全に手動の積み重ねを使う方法でもなく、特許文献１または前述の特許文献２で提案された方法などの、巻き付けることおよび積み重ねることを混合した方法でもない、Ｌｉイオン電気化学的蓄電池を作るための新規方法を提案することである。
【課題を解決するための手段】
【００１２】
これを行うために、本発明の目的は、次のステップ、すなわち、
ａ／  複数の電極、いわゆる両面電極を作るステップであって、各電極は、同じ所与の極性の電極材料をその対向面の両方に支持する電流コレクタを形成する導電性基板を含み、複数の電極は、２つのグループに分けられ、そのグループの一方は、他方のグループの電極と反対の極性を持つ電極を含むステップと、
ａ´／  ２つのいわゆる片面電極を作るステップであって、各電極は、所与の極性の電極材料をその面のうちのただ１つの面に支持する電流コレクタを形成する導電性基板を含み、単一の電極材料を支持する両方の片面電極は、同じ極性である、ステップと、
ｂ／  電解質セパレータを２つの平行なエッジを持つマンドレルの１つのエッジ上に位置決めするように連続ストリップの形の電解質セパレータを巻き付け機から巻き戻すステップと、
ｃ／  連続セパレータストリップがすでにその上に位置決めされているエッジに平行なマンドレルのエッジ上にグループの片方の第１の両面電極を手動で位置決めするステップと、
ｄ／  前記グループの第１の両面電極およびマンドレルを連続セパレータストリップで包むようにマンドレルを回転させるステップと、
ｅ／  連続セパレータストリップがその上に位置決めされているマンドレルのエッジ上にもう一方のグループの第１の両面電極を手動で位置決めするステップと、
ｆ／  もう一方のグループの第１の両面電極もまた連続セパレータストリップで包むようにステップｄ／の方向と同じ方向にマンドレルを回転させるステップと、
ｇ／  片面電極のそれぞれがスタックの端部の１つに配置される状態ですべてのその他の電極がマンドレル上に積み重ねられるように、ステップａ／およびａ´／に従って作られたすべてのその他の電極を使ってステップｃ／からｆ／を繰り返すステップであって、すべての電極は、連続セパレータストリップで包まれ、連続セパレータストリップはまた、互いに反対の極性を持つ２つの隣接電極を分離するステップと、
を含むリチウムイオン電気化学的蓄電池を作るための方法である。
【００１３】
言い換えれば、本発明は、いくぶんかは構成要素の一部を個別のセパレータとともにすでにあらかじめ手動で積み重ねておくことなく最終スタックのすべての電極の手動位置決めと関連する連続電解質セパレータストリップからの自動巻き付けを実行することから成る。
【００１４】
さらに言い換えれば、本発明は、同じ極性を持つ両面電極上に連続ストリップの形のセパレータを自動的に巻き付けることから成り、各両面電極および最終的に各片面電極は、スタックを形成するために手動で位置決めされる。
【００１５】
自動によって、積み重ねが、モーター駆動されてもよく、さもなければ例えばクランクを介して手によって駆動されてもよいが、しかし必ず巻き付け機を介してであることを意味する。
【００１６】
それ故に、連続ストリップの形のセパレータは、それ自体ストリップの自動巻き付けを可能にする巻き付け機に最初に巻き付けられるので、セパレータの手動での取り扱いは、必要とされない。本発明を適用するために使用される両面および片面電極は、あらかじめ切り取られてもよく、それらは、本発明によると手動で積み重ねられるので、材料および／または基本重量および／または空隙率がそれらを巻き付けることを許容しない電極を使用することが、可能である。
【００１７】
さらに、巻き付け機を使用することによって、構成要素を位置決めする際の精度および目標とするＬｉイオン蓄電池を組み立てる際の速さを保つことが、可能である。
【００１８】
いったんステップｇ／が実行されると、スタックをマンドレルから取り出すためのステップが、好ましくは実行され、次いで片面電極のストリップ部分だけを残しかつ互いに反対の極性を持つ２つの隣接電極を個々に分離するように、連続セパレータストリップを電極の周囲で切り取るためのステップが、実行される。
【００１９】
有利な代替案によると、各巻き戻すステップｂ／は、細長く切られた連続ストリップがあらかじめそれに巻き付けられているスリッタ−巻き取り機の出口で巻き付け機から実行される。
【００２０】
有利には、各巻き戻すステップｂ／は、１から５０μｍの間に含まれる連続セパレータストリップの厚さについて０．５から３Ｎの間の連続セパレータストリップへの張力を維持することによって実行される。これらの値を使うと、ストリップは、セパレータのせん孔のどんなリスクもなく永続的に張力のかかった状態を維持される。
【００２１】
有利な実施形態によると、
−  ステップａ／およびａ´／は、電極材料を支持する領域から突出する各電流コレクタの部分がタブを形成しながら実行され、
−  ステップｃ／からｇ／は、タブがセパレータの巻き付け方向に実質的に直交する平面に配置される状態で実行され、
−  いったんステップｇ／が実行されると、同じ極性を持つ電極の電流コレクタのすべてのタブおよびより大きな厚さのタブがその間に一緒に結合されて溶接されるステップｈ／が実行され、より大きな厚さの両方のタブは、蓄電池の極板を形成する。
【００２２】
本発明による蓄電池を完成させるために、いったんステップｈ／が実行されると、互いに対して反対の極性を持つ２つの隣接電極を個々に分離する電解質セパレータストリップ部分を備える電極のスタックは、漏れ防止パッケージで包まれ、一方極板は、そのパッケージを横切ったままである。
【００２３】
本発明はまた、上で定義された方法に従って得られるＬｉイオン蓄電池にも関し、すべての負極性電極は、グラファイトに基づいており、すべての正極性電極は、ＬｉＦｅＰＯ４である。
【００２４】
代替案によると、両方の極板が、配置され、それぞれは、パッケージの同じ側面から突出する。
【００２５】
代替案の変形によると、両方の極板が、配置され、それぞれは、パッケージの異なる側面から突出する。
【００２６】
本発明による蓄電池のパッケージは、柔軟なタイプまたは堅いタイプであってもよい。
【００２７】
本発明の他の利点および特徴は、次の図を参照して限定としてではなく例示としてなされる次の詳細な説明を読むことでさらに明らかになる。
【図面の簡単な説明】
【００２８】
【図１Ａ】本発明によるＬｉイオン蓄電池を作るための方法で使用される片面または両面電極を作るための一ステップを示す図である。
【図１Ｂ】本発明によるＬｉイオン蓄電池を作るための方法で使用される片面または両面電極を作るための一ステップを示す図である。
【図１Ｃ】本発明によるＬｉイオン蓄電池を作るための方法で使用される片面または両面電極を作るための一ステップを示す図である。
【図２Ａ】本発明によるＬｉイオン蓄電池を作るための方法の一ステップを正面図として示す図である。
【図２Ｂ】本発明によるＬｉイオン蓄電池を作るための方法の一ステップを正面図として示す図である。
【図２Ｃ】本発明によるＬｉイオン蓄電池を作るための方法の一ステップを正面図として示す図である。
【図３】本発明による方法のステップが実行され、マンドレルが取り外された時点でのＬｉイオン蓄電池を正面図として示す図である。
【図４】図３のＬｉイオン蓄電池を側面図として示す図である。
【図５Ａ】極板への電気的接続のためのステップが実行されたが、しかしパッケージ化する前の時点での、図４による蓄電池を上面図として示す図である。
【図５Ｂ】極板への電気的接続のためのステップが実行されたが、しかしパッケージ化する前の時点での、図４による蓄電池を側面図として示す図である。
【図６Ａ】パッケージ化する前の図５Ａおよび図５Ｂの電気的接続代替案を上面図として示す図である。
【図６Ｂ】パッケージ化した後の図５Ａおよび図５Ｂの電気的接続代替案を上面図として示す図である。
【発明を実施するための形態】
【００２９】
詳細な説明では、すべての電流コレクタは、明瞭さのために同じ参照番号１を持つと本明細書では規定されるが、これらの電流コレクタはもちろん、正電極および負電極について異なってもよい。
【００３０】
また、図２Ａから図２Ｃでは、湾曲した矢印は、マンドレルの回転方向を示すとも規定される。
【００３１】
また、同じ極性のすべての電極は、正電極については同じ参照番号２０および負電極については同じ参照番号２１を持つとも規定される。
【００３２】
それ故に、同じ極性のすべての電極は、同じ材料で作られ、同じ基本重量および同じ空隙率を持つと考えられる。別個の材料および／または基本重量および／または空隙率が、本発明によるＬｉイオン蓄電池を得るために同じ極性の手動で積み重ねられた電極にとって本発明の範囲内で適切である可能性があることは明らかである。
【００３３】
好ましくは、本発明による蓄電池を作るために、以下のものを関連付けることが可能であり、すなわち、
−  １０から４０μｍの厚さおよび１００から６００ｍｍの幅を持つアルミニウムコレクタ１の片面または両面に被覆された、５ｍＡｈ／ｃｍ２程度の表面容量を持つ、ＬｉＦｅＰＯ４に基づく正電極２０、
−  １０から４０μｍの厚さおよび１００から６００ｍｍの幅を持つ銅コレクタ１の片面または両面に被覆された、５．５ｍＡｈ／ｃｍ２程度の表面容量を持つ、グラファイトに基づく負電極２１。
【００３４】
最初に、これらの片面電極３Ｍ−、３Ｍ−または両面電極３Ｂ−、３Ｂ＋を作るために、有利には次の方法で進めることが可能である。電流コレクタ１を形成する基板の片面または両面は、正または負の電極材料に基づくインクでコレクタの幅よりも小さい幅にわたって被覆される。それによって、電流コレクタ１上に位置決めされ、好ましくは中心に置かれる電極２は、周囲の裸のフレーム１０を残すことによって得られる（図１Ａ）。
【００３５】
次に、得られた支持体１、２は、２つに細長く切られ（図１Ｂ）、電極３が次いで、コレクタ１のタブ１０Ｌを周囲の方へ延ばしながら個々に切り取られる（図１Ｃ）。それによって得られた電極３は次いで、本発明による方法に従って組み立てられてもよい。
【００３６】
スリッタを用いて、厳密に言えば組み立て作業の前に、電解質セパレータは、それ自体すべて同じ幅の電極３に対応する幅に少なくとも細長く切られると規定される。このようにして、いくつかの連続電解質セパレータストリップが、得られ、それによって切断された各連続ストリップ５は、スリッタの出口でピンに巻き付けられ、ピンはその後に、巻き付け機の入口にセットされてもよい。
【００３７】
言い換えれば、電解質セパレータのためのすべてのこれらの切断するステップおよび巻き付けるステップは、同じスリッタ−巻き取り機で自動的に実行されてもよい。
【００３８】
連続電解質セパレータストリップ５は、第１段階でスリッタ−巻き取り機６から巻き戻され、その機械のマンドレル４の両方の平行なエッジのうちの１つのエッジ４０上に位置決めされる。
【００３９】
上述のように得られた第１の正両面電極３０Ｂ＋が次いで、連続セパレータストリップ５がすでにその上に位置決めされているマンドレルのエッジ４０に平行なマンドレルのエッジ４１上に手動で位置決めされる。マンドレル４の回転が次いで、マンドレル４および第１の正両面電極３０Ｂ＋の両方を張力下でこのようにして包むために実行される（図２Ａ）。
【００４０】
マンドレル４の１８０°だけの回転が次いで、常に同じ方向に実行され、上述のように得られた第１の負両面電極３０Ｂ−が次いで、手動で位置決めされ、連続セパレータストリップ５部分は、マンドレル４のエッジ４０上にすでに位置決めされている（図２Ｂ）。
【００４１】
これらの自動巻き付けステップは、セパレータ５を張力下に維持しながらマンドレルが常に同じ方向に１８０°だけ回転するたびに、正３０Ｂ＋および負３０Ｂ−の両面電極を互いにかつスタックの端部では負片面電極３Ｍ−、３Ｍ−を交互に手動で積み重ねることによって繰り返される。セパレータ５で包まれた電極３の完全なスタックは、それによって得られ、セパレータ５は、反対の極性を持つ２つの隣接電極を個々に分離し、すなわち、３０Ｂ＋と３１Ｂ−、３１Ｂ−と３２Ｂ＋、３２Ｂ＋と３Ｍ−のように参照される電極は、マンドレル４の片側にあり、３０Ｂ−と３１Ｂ＋、３１Ｂ＋と３Ｍ−のように参照される電極は、マンドレル４のもう一方の側にある（図２Ｃ）。
【００４２】
セパレータストリップ５は次いで、巻き付け機６の出口で切断され、得られたスタックは、マンドレル４から取り出される（図３）。
【００４３】
セパレータは実際には、任意の手段、例えば簡単な接着剤によって第１の電極のコレクタタブに固定される。このようにして、セパレータは、所定の位置にとどまり、マンドレルの取り出しまたは取り外しの間は張力をかけられる。
【００４４】
セパレータ５は次いで、電解質セパレータ部分５０を反対極性の両電極間に個々に挿入された状態でかつスタックの端部では片面電極３Ｍ−の上に残すだけであるように各電極の周囲で切り取られる（図４）。この切断するステップは、外科用メス、裁断機などの適切な切断手段によって達成されてもよい。
【００４５】
セパレータとしては、ポリフッ化ビニリデン（ＰＶＤＦ）、ポリプロピレン（ＰＰ）またはポリエチレン（ＰＥ）でのセパレータが、提供されてもよい。電極間のイオン伝導を確保する電解質は、例えば炭酸塩または濃縮ポテンシャル（concentrate potential）で安定でありかつリチウム塩（例えばＬｉＰＦ６）の溶解を可能にする任意の他の化合物に基づく液体であってもよい。
【００４６】
図４でより良く見えるように、電極を細長く切るためのステップの間に最初に作り出される電流コレクタのタブ１０Ｌは、セパレータ５のスタックがない状態に残されたスタックの側面の１つで個々に延びる。この図４では、正電極３０Ｂ＋、３１Ｂ＋、３２Ｂ＋の電流コレクタのすべてのタブ１０Ｌ＋は、負電極３０Ｂ−、３１Ｂ−、３Ｍ−、３Ｍ−の電流コレクタのタブ１０Ｌ−が延びるエッジとは反対側のエッジで延びる。
【００４７】
同じ極性のタブ１０Ｌ＋、１０Ｌ−は次いで、典型的には５０μｍから１ｍｍの間に含まれる厚さより厚いタブ７＋、７−に加えて、一緒に集められる。同じ極性のすべてのタブ１０Ｌ−と７−、１０Ｌ＋と７＋は次いで、一緒に溶接される（図５Ａおよび図５Ｂ）。これらの溶接部は、超音波、電気溶接またはさらにレーザー溶接によって作製されてもよい。より厚いタブ７＋、７−は、本発明によるＬｉイオン蓄電池の出力電気接続部または極板を形成する。
【００４８】
本発明による蓄電池の極板７＋、７−の別の代替実施形態は、図６Ａで示され、極板はこの場合には、本発明による蓄電池Ａの同じエッジの上に延びる。
【００４９】
得られたＬｉイオン蓄電池は次いで、柔軟なまたは堅いタイプのパッケージに通例のようにシールでパッケージ化されてもよく、タブ７＋、７−だけが、パッケージ８から外へ突出する極板を形成する（図６Ｂ）。
【００５０】
今しがた述べられた本発明は有利には、電極のための材料および／または基本重量および／または空隙率が電極を任意の湾曲に沿って折り畳む可能性を厳密には与えない電極を使ってさえＬｉイオン蓄電池Ａを組み立てる可能性を与え、このことは、電解質セパレータを手動で取り扱う必要がない、すなわちそれらを切り取りかつそれらを組み立てる必要がない。さらに、本発明による方法を用いると、連続ストリップとしての電解質セパレータは、電極を包むためにそれを巻き戻す間永続的に張力をかけた状態に維持することができ、そのことは、異なる構成要素間が良好に密着された状態でぎっしり詰めて積み重ねることを確実にする。
【００５１】
しかしながら、他の実施形態が、本発明の範囲から逸脱することなく熟考されてもよい。例えば、例示されたＬｉイオン蓄電池が、３つの正両面電極、２つの負両面電極および２つの負片面電極を含む場合、同一の特徴を持つがしかし３つの負両面電極、２つの正両面電極および２つの正片面電極を持つ蓄電池を作ることを熟考することも、もちろん可能である。異なる容量、電圧およびエネルギー特性を持つ他の蓄電池を熟考することもまた、本発明によって可能である。
【符号の説明】
【００５２】
１  電流コレクタ
２  電極
３  電極
４  マンドレル
５  電解質セパレータストリップ
６  スリッタ−巻き取り機
３Ｂ−  負両面電極
３Ｂ＋  正両面電極
３Ｍ−  負片面電極
７−  より厚いタブ
７＋  より厚いタブ
８  パッケージ
１０  フレーム
１０Ｌ  タブ
１０Ｌ−  タブ
１０Ｌ＋  タブ
２０  正電極
２１  負電極
３０Ｂ−  負両面電極
３０Ｂ＋  正両面電極
３１Ｂ−  負両面電極
３１Ｂ＋  正両面電極
３２Ｂ＋  正両面電極
４０  マンドレルのエッジ
４１  マンドレルのエッジ
５０  電解質セパレータ部分
Ａ  蓄電池
【図１Ａ】
2014519166.tif 000003
【図１Ｂ】
2014519166.tif 000004
【図１Ｃ】
2014519166.tif 000005
【図２Ａ】
2014519166.tif 000006
【図２Ｂ】
2014519166.tif 000007
【図２Ｃ】
2014519166.tif 000008
【図３】
2014519166.tif 000009
【図４】
2014519166.tif 000010
【図５Ａ】
2014519166.tif 000011
【図５Ｂ】
2014519166.tif 000012
【図６Ａ】
2014519166.tif 000013
【図６Ｂ】
2014519166.tif 000014
【国際調査報告】
2014519166.tif 000015
2014519166.tif 000016
2014519166.tif 000017
2014519166.tif 000018
2014519166.tif 000019
2014519166.tif 000020